(57)【要約】【課題】  製作が容易で液漏れのおそれがなく、狭いディスク設置空間にも適合する耐久性に優れたクリーナーを提供すること。【解決手段】  ディスクに一対の小孔と両小孔の上端に連なる凹溝を形成し、一本の清掃糸の両側を小孔に挿通して左右の下垂部を均等長さに突設し且つ中間の水平部を凹溝に嵌入する。水平部の上面に保水布を被着してディスクに固定し、保水布のクリーニング液が清掃糸の水平部から両下垂部に滲出する。【選択図】図３
0003139662.tif 000002
【実用新案登録請求の範囲】
【請求項１】
ディスクに一対の小孔と両小孔の上端に連なる凹溝を形成し、一本の清掃糸の両側を前記小孔に挿通して左右の下垂部を均等長さに突設し且つ中間の水平部を凹溝に嵌入するとともに水平部の上面に、裏面に接着剤を設けた水通しの良い保水布を被着してディスクに固定し、保水布から供給されるクリーニング液が清掃糸の水平部から両垂下部に滲出することを特徴とする光ディスクのレンズクリーナー。
【請求項２】
接着剤が保水布の裏面にドーナツ状に形成されたものであることを特徴とする請求項１記載の光ディスクのレンズクリーナー。
【考案の詳細な説明】
【技術分野】
【０００１】  本考案は清掃糸を湿らせた光ディスクのレンズクリーナーに関する。
【背景技術】
【０００２】  光ディスクのレンズクリーナーには、糸状をした清掃体の先端部でレンズに付着したほこりを吹き払う乾式のもの（例えば特許文献１参照）と、クリーニング液をブラシに塗布する湿式のものなどがあり、湿式のものには、ブラシのクリーニング液の垂れ落ちを防止できることを目的として、ディスク本体の一方の面にブラシを植設し、そのブラシの基部には保水力を有する液受け部材を備えるように構成されているもの（例えば特許文献１参照）などもある。
【特許文献１】実用新案登録第３１０８９１９号公報
【特許文献２】実用新案登録第３１０７６８２号公報
【考案の開示】
【考案が解決しようとする課題】
【０００３】  特許文献１に記載の技術は、ディスクにあけた一対の小孔に糸状体を挿通して左右に突設した垂下部でレンズのほこりを吹き払うことを目的としており、単にブラシを一本突設したものよりも左右の垂下部が連続してレンズの汚れを払拭する点で優れるが、あくまでも乾式のため汚れの除去には自ずから限界があるとともに、糸状体の水平面がディスクの上面に位置し、然も水平面の上部に更に抑え片が重なるのでディスク上面が膨隆状となって例えば自動車内装置のようにディスクの収納空間が狭い個所に設置した場合、回転に支障を生じる懸念がある。【０００４】  ところでブラシに直接クリーニング液を塗布することで、乾式のものよりもレンズの汚れを効果的に払拭する試みは従来も行われているが、液体をブラシに直接するとブラシからの液漏れやレンズ及びその周辺への液だれといった事態が生じて所謂過ぎたるは及ばざるごとしの結果となってしまうおそれが多分にある。そこで特許文献２に記載のようにブラシにクリーニング液を間接的に塗布するといった技術が提案されているわけである。【０００５】  特許文献２に記載の技術は図４に示すように、液受け部材１にあらかじめブラシ２を植設し、ディスク３に形成した液受け部材１の装着用凹部４とブラシ２の挿通孔５に液受け部材１とブラシ２を取り付けるもので、このとき液受け部材１は凹部４との間に接着剤８を介して固定される。そして使用時には液受け部材１に容器６内のクリーニング液７を滴下すると液受け部材１に浸潤した液がブラシ２を湿らすので塗りすぎ防止ができ、程よく湿ったブラシ２がレンズに接して汚れを払拭できる、としたものである。【０００６】  この従来技術によると、ディスク３には凹部４と挿通孔５を形成することを要するが、厚みの薄いディスク３に凹部４と挿通孔５の両方を形成するには面倒な手間がかゝるのと、ブラシ２を別体の液受け部材１に植設するのにもそれなりの手数と時間を必要とする。更にブラシ２を植設した液受け部材１を凹部４・挿通孔５に取り付けなければならず、従来技術では製作に多大な労力がかかって製品を高価にする懸念がある。然も液受け部材１に植設するブラシ２は一本のため十分な払拭がなされるか否かにも問題が残る。【０００７】  本考案は簡単な構造によって、従来の問題点である製作上の諸課題を一挙に解消するとともにレンズの汚れを確実迅速に払拭することができてディスクの回転にも支障を生じることのないレンズクリーナーを提供することを意図した提案である。
【課題を解決するための手段】
【０００８】  すなわち本考案は、ディスクに一対の小孔と両小孔の上端に連なる凹溝を形成し、一本の清掃糸の両側を前記小孔に挿通して左右の下垂部を均等長さに突設し且つ中間の水平部を凹溝に嵌入するとともに水平部の上面に、裏面に接着剤を設けた水通しの良い保水布を被着してディスクに固定し、保水布から供給されるクリーニング液が清掃糸の水平部から両下垂部に滲出することを主旨としている。【０００９】  接着剤が保水布の裏面周縁にドーナツ状に形成されたものであることを特徴としている。
【考案の効果】
【００１０】  清掃糸は、ディスクに形成した一対の小孔に直接差し込んで水平部を凹溝に嵌入すればよく、従来のようにあらかじめ液受け部材を形成し、該液受け部材に更にブラシを植設するといった手間がかゝらない。また厚みの薄いディスクに液受け部材を取り付けるための凹部を形成するといった手数も必要としないので容易に製作でき安価量産に好適する。而して清掃糸の水平部は凹溝内に没入するためディスク上面には保水布のみが位置し、したがってカー装置のような狭いディスク収納空間にも何ら支障がなく、また左右の小孔から突設した下垂部が均等長さとなっているためバランスが良く、保水布を用いてディスクに固定すればディスクの高速回転にも十分耐えて脱落等のおそれがなく、長期にわたり正しい固定状態を保持するため安定した清掃作業ができる。【００１１】  清掃糸の下垂部が左右２カ所に存在するため１カ所のブラシを植設したものと異なりレンズに対して二重の払拭作業ができレンズの汚れを確実に除去できる。左右下垂部の間には程よい間隔があり、このため保水布に吸収されたクリーニング液は水平部から左右へ分散供給されるのでシールに多少の塗りすぎがあっても垂れ落ちの心配がない。【００１２】  保水布裏面の接着剤をドーナツ状に設けると清掃糸は接着剤に囲まれた空間に収まるので、接着剤によってクリーニング液の供給に支障を生じることはない。
【考案を実施するための最良の形態】
【００１３】  図面に基づき本考案を説明すると、図１は本考案を構成する主要部材を示す説明図であり、（ａ）及び（ｂ）において１０は盤面に一対の小孔１１を貫通し且つ両小孔の上端に連なって浅い凹溝１２を形成したディスクで、小孔１１はディスク中心孔１３の外側の回転方向に沿って形成される。前記ディスク１０はＣＤ・ＤＶＤなどの光ディスクに用いられるレンズの清掃を対象とするのでそれらディスクと同形であり、一般的なプレーヤーは当然として自動車内に取り付けられる装置等にも取り付けられること勿論である。【００１４】  （ｃ）における２０はディスク１０の上面に臨ませた一本の清掃糸で、左右を小孔１１に跨り状に挿通するものであり微細径の細毛群で構成される。この清掃糸２０は合成繊維・布材など特に素材に限定されるものではないが、静電気を除去し、柔軟で且つ倒れても復元し、程よい湿潤性を有するものが用いられる。【００１５】  （ｄ）における３０は清掃糸２０をディスク１０の表面に固定する保水布である。この保水布３０は保水力と水通しの良い素材、特にサテン布が好ましく、平面円形又は楕円状で、裏面に接着剤３１をドーナツ状に設ける。【００１６】  図２は清掃糸２０をディスク１０に固定する説明図である。すなわち（ａ）のようにディスク１０の上面より一本の清掃糸２０の片側（例えば左側）を先ず一方の小孔１１に挿通し、次いで清掃糸２０の他側（右側）を他方の小孔１１に挿通する。すると清掃糸２０の左右は、ディスク１０面に接する水平部２１に対し直角状に屈曲して下垂部２２となり、この下垂部２２は左右が均等となる長さに突設される。そして中間の水平部２１は凹溝１２内に嵌入しディスク１０の上面に突出することはない。【００１７】  清掃糸２０をディスク１０に取り付けた後、（ｂ）のように保水布３０を水平部２１の上面にあてがって清掃糸２０をディスク１０に固定する。そのため保水布３０には、前記のようにあらかじめ接着剤３１を設けておくが、接着剤が存在してもシール３０に吸収された後記するクリーニング液４０が清掃糸２０に十分供給されるようにするために接着剤３１をドーナツ状とすることは好ましい。【００１８】  保水布３０は清掃糸２０の水平部２１に密着するとともに、接着剤３１によりディスク１０の表面に固着される。したがって清掃糸２０は保水布３０が密着することによりディスク１０に不動状となってずれるようなおそれはなく、それゆえ左右の下垂部２２の均等長さはディスク１０の回転によって変わることはない。【００１９】  図３は保水布３０に容器４１内のクリーニング液４０を滴下する説明図である。容器４１をつかんで保水布３０にクリーニング液４０を塗布すると、吸収された液体は清掃糸２０の水平部２１に供給され、更に左右の下垂部２２へと毛細管現象により滲出する。そしてディスク１０を回転すると先ず片方の下垂部２２がレンズ（不図示）の表面に軽く当接してその湿った糸先によってレンズ表面に付着している汚れが除去される。更にディスク１０の回転に伴ってレンズが移動すると、湿り気を帯びた他方の下垂部２２がレンズの表面に触れてレンズは再度清掃される。【００２０】  このようにレンズには湿り気を帯びた左右の下垂部２２が接触す��ためレンズの表面に塵埃などが付着していたとしても下垂部２２の払拭作用が働いてほこりなどが一掃される。この種レンズの清掃をブラシで行う場合、ブラシの当たりが過ぎると信号切断などのおそれがあり、そのため勢いブラシの当たりには細心の注意が払われるが、ややもするとレンズに対するブラシの当たりが弱くなりがちで、十分な汚れの除去作業ができないという問題が残る。その点本考案では左右２カ所の下垂部２２が機能するため下垂部２２が軽く触れるだけでも汚れの払拭が確実になされる。【００２１】  前記保水布３０は凹溝１２内の清掃糸２０の水平部２１に直接密着してディスク１０に固定するが、保水布３０は薄く扁平状のためディスク１０表面にはわずかの盛り上がりが形成されるにすぎず、このためカー装置のようにディスク収納スペースが狭い空間にも無理なく設置でき、あらゆる光ディスクの清掃に適合する。【００２２】  なお本考案で使用される清掃糸２０、保水布３０等の材質・呼称などは例示したものに限定されず、また接着剤３１、クリーニング液４０などは従来周知の材料を使用すれば足りる。しかして本考案ではクリーニング液を塗布する湿式のクリーナーとして述べたが、クリーニング液を塗布しない場合は乾式のクリーナーとして使用できることは当然であり、その他本考案の目的効果を奏する範囲において図示した以外の形体の変更なども本考案の自由な実施の範疇に属すること勿論である。
【図面の簡単な説明】
【００２３】
【図１】本考案を構成する主要構成部材の説明図であり、（ａ）及び（ｂ）はディスク、（ｃ）はディスク上面に臨ませた清掃糸、（ｄ）は保水布を示す。
【図２】清掃糸をディスクに固定する説明図であり、（ａ）はディスクに配置された清掃糸、（ｂ）は清掃糸上面に保水布を被着した断面を示す。
【図３】清掃糸にクリーニング液を塗布する説明図である。
【図４】従来例を示す説明図であり、（ａ）はディスクに液受け部材を臨ませた断面、（ｂ）はディスクに固定した液受け部材にクリーニング液を塗布する断面を示す。
【符号の説明】
【００２４】  １０  ディスク
１１  小孔
１２  凹溝
２０  清掃糸
２１  水平部
２２  下垂部
３０  保水布
３１  接着剤
【図１】
0003139662.tif 000003
【図２】
0003139662.tif 000004
【図３】
0003139662.tif 000005
【図４】
0003139662.tif 000006